(57)【要約】【課題】多様な体型に対応することができる前掛けを提供する。【解決手段】着用者Ｐの正面側の胸部乃至脚部を覆うように装着される前掛け１０は、シート状の前掛本体１１と、その一方の側辺部の腰部対応位置から側方に延びるように設けられた伸縮可能な伸縮帯１３とを備える。伸縮帯１３には、長さ方向に沿うように小片状の複数の第１面ファスナ１４ａ，１４ｂが間隔をおいて設けられていると共に、前掛本体１１には、他方の側辺部側の腰部対応位置に横方向に延びるように帯状の第２面ファスナ１５が設けられている。【選択図】図１
2014101622.tif 000002
【特許請求の範囲】
【請求項１】
着用者の正面側の胸部乃至脚部を覆うように装着される前掛けであって、
シート状の前掛本体と、
上記前掛本体の一方の側辺部の腰部対応位置から側方に延びるように設けられた伸縮可能な伸縮帯と、
を備え、
上記伸縮帯には、長さ方向に沿うように小片状の複数の第１面ファスナが間隔をおいて設けられていると共に、上記前掛本体には、他方の側辺部側に横方向に延びるように帯状の第２面ファスナが設けられており、
上記前掛本体を、着用者の正面側の胸部乃至脚部を覆うように位置付けると共に、上記伸縮帯を、着用者の背面側の腰部に巻き付け、且つ該伸縮帯に設けられた上記複数の第１面ファスナのうち少なくとも最も先端側の１つを、該前掛本体の他方の側辺部側に設けられた上記第２面ファスナに係合させることにより、着用者に装着されるように構成された前掛け。
【請求項２】
請求項１に記載された前掛けにおいて、
上記前掛本体には、胸部対応部分に、縦方向に延びる縦添ロッドが設けられていると共に、該縦添ロッドが、縦方向に直列に並ぶように配設された複数のロッド材で構成されている前掛け。
【請求項３】
請求項１又は２に記載された前掛けにおいて、
上記伸縮帯に設けられた上記複数の第１面ファスナのうち最も先端側の１つよりも、それ以外の他の第１面ファスナの方が、該伸縮帯の長さ方向の寸法が短い前掛け。
【発明の詳細な説明】
【技術分野】
【０００１】
本発明は前掛けに関する。
【背景技術】
【０００２】
前掛け或いはエプロンについては多数の発明や考案が提案されている。例えば、特許文献１には、台形の本体の上端に面ファスナを用いて首に巻き付け装着可能な上部ベルトが設けられると共に、下側に面ファスナを用いて腰に巻き付け装着可能な下部ベルトが設けられた洗顔エプロンが開示されている。
【先行技術文献】
【特許文献】
【０００３】
【特許文献１】特開２００２−３０９４１８号公報
【発明の概要】
【発明が解決しようとする課題】
【０００４】
本発明の課題は、多様な体型に対応することができる前掛けを提供することである。
【課題を解決するための手段】
【０００５】
本発明は、着用者の正面側の胸部乃至脚部を覆うように装着される前掛けであって、シート状の前掛本体と、該前掛本体の一方の側辺部の腰部対応位置から側方に延びるように設けられた伸縮可能な伸縮帯とを備え、該伸縮帯には、長さ方向に沿うように小片状の複数の第１面ファスナが間隔をおいて設けられていると共に、該前掛本体には、他方の側辺部側に横方向に延びるように帯状の第２面ファスナが設けられており、該前掛本体を、着用者の正面側の胸部乃至脚部を覆うように位置付けると共に、該伸縮帯を、着用者の背面側の腰部に巻き付け、且つ該伸縮帯に設けられた該複数の第１面ファスナのうち少なくとも最も先端側の１つを、該前掛本体の他方の側辺部側に設けられた該第２面ファスナに係合させることにより、着用者に装着されるように構成されている。
【発明の効果】
【０００６】
本発明によれば、伸縮帯に設けられた複数の第１面ファスナのうち少なくとも最も先端側の１つを、前掛本体の他方の側辺部側に設けられた第２面ファスナに係合させることにより着用者に装着されるので、腰部周りの小さい着用者の場合には、第２面ファスナに係合させる第１面ファスナの数を多くし、また、腰部周りの大きい着用者の場合には、第２面ファスナに係合させる第１面ファスナの数を少なくすることができ、しかも、いずれの場合も、第２面ファスナが帯状であって、その長さ方向で第１面ファスナの係合位置の調節を行うことができ、これらにより多様な体型に対応することができる。
【図面の簡単な説明】
【０００７】
【図１】実施形態１に係る前掛けの（ａ）正面図及び（ｂ）背面図である。
【図２】実施形態１に係る前掛けの装着状態を示す（ａ）正面側斜視図及び（ｂ）背面側斜視図である。
【図３】（ａ）は腰部周りの小さい着用者の場合の第１及び第２面ファスナの係合状態を示す説明図であり、（ｂ）は腰部周りの大きい着用者の場合の第１及び第２面ファスナの係合状態を示す説明図である。
【図４】実施形態１に係る前掛けにおける前掛本体の胸部対応部分を表面側に折り返したときの装着状態を示す正面側斜視図である。
【図５】実施形態２に係る前掛けの（ａ）正面図及び（ｂ）背面図である。
【図６】（ａ）は実施形態１に係る前掛けを装着して屈んで作業する状態を示す説明図であり、（ｂ）は実施形態２に係る前掛けを装着して屈んで作業する状態を示す説明図である。
【図７】その他の実施形態に係る前掛けの（ａ）正面図及び（ｂ）背面図である。
【発明を実施するための形態】
【０００８】
（実施形態１）
図１（ａ）及び（ｂ）は実施形態１に係る前掛け１０を示す。図２（ａ）及び（ｂ）は実施形態１に係る前掛け１０の装着状態を示す。この実施形態１に係る前掛け１０は、例えば魚市場等の水を多く使用する作業を行う場合において、衣服の汚れを防止すると共に防水のために着用者Ｐの正面側の胸部乃至脚部を覆うように装着されるものである。
【０００９】
実施形態１に係る前掛け１０は、シート状の前掛本体１１を備えている。前掛本体１１は、例えば、塩化ビニルシート等の樹脂シートで構成されており、縦長さが８００〜１２００ｍｍ、及び横長さが７００〜１０００ｍｍである。
【００１０】
前掛本体１１は、上部の胸部対応部分１１ａが略横長楕円の上半分形状、及び下部の腹部乃至脚部対応部分１１ｂが下側両角部が円弧にされた略矩形状にそれぞれ形成されており、周縁にパイピング処理が施されている。前掛本体１１は、胸部対応部分１１ａと腹部乃至脚部対応部分１１ｂとの間の腰部対応部分１１ｃの裏面側に、前掛本体１１と同じ材質の帯状シート１２が横方向に延びるように設けられていると共にその外周部がウェルダ加工により溶接され、それによって腰部対応部分１１ｃが補強されている。
【００１１】
前掛本体１１の一方の側辺部の腰部対応位置には、伸縮可能な伸縮帯１３の一端部が縫い合わせられて取り付けられていると共に、伸縮帯１３は前掛本体１１から側方に延びるように設けられている。伸縮帯１３は、例えば、衣料用の幅広ゴムで構成されており、長さが１５０〜３００ｍｍ、及び幅が３０〜７０ｍｍである。伸縮帯１３の表面側には、長さ方向に沿うように小片状の一対の第１面ファスナ１４ａ，１４ｂ（例えばフック型面ファスナ）が間隔をおいて設けられている。具体的には、伸縮帯１３の最も先端側の他端部に長さ（伸縮帯１３の長さ方向の寸法）が３０〜７０ｍｍの第１面ファスナ１４ａが縫い合わせられて取り付けられていると共に、その位置から長さ３０〜７０ｍｍの間隔をおいた位置に他の第１面ファスナ１４ｂが縫い合わせられて取り付けられている。なお、第１面ファスナ１４ａ，１４ｂの片数は３片以上の複数であってもよい。
【００１２】
前掛本体１１の他方の側辺部側には、腰部対応部分１１ｃの裏面側に側辺部から前掛本体１１の内側に横方向に延びるように帯状の第２面ファスナ１５（例えばループ型面ファスナ）が設けられている。具体的には、前掛本体１１の他方の側辺部には、帯状シート１２で補強された腰部対応部分１１ｃに、長さ（横方向の寸法）が１５０〜３００ｍｍの第２面ファスナ１５が縫い合わせられて取り付けられている。
【００１３】
前掛本体１１の胸部対応部分１１ａには、各々が縦方向に延びると共に横方向に間隔をおいて並行に延びる一対の縦添ロッド１６が配設されている。縦添ロッド１６は、例えば、弾性を有するポリエチレン樹脂等の樹脂ロッドで構成されており、長さが１５０〜２００ｍｍ、及び幅が５〜１５ｍｍである。一対の縦添ロッド１６のそれぞれは、前掛本体１１の裏面側に設けられ、その上から前掛本体１１と同じ材質の短冊状シート１７が被せられると共にその外周部がウェルダ加工により溶接され、それによって前掛本体１１と短冊状シート１７との間に封入されて設けられている。なお、縦添ロッド１６の数は１本であってもよく、また、３本以上であってもよい。
【００１４】
前掛本体１１の胸部対応部分１１ａにおける一対の縦添ロッド１６のそれぞれが設けられた部分よりも上側の前掛本体１１と短冊状シート１７とが二層となった部分には鳩目１８が設けられている。なお、この鳩目１８は、使用後にフック掛けして吊しておくために用いられるものである。
【００１５】
以上の構成の実施形態１に係る前掛け１０は、前掛本体１１を、着用者Ｐの正面側の胸部乃至脚部を覆うように位置付けると共に、伸縮帯１３を、着用者Ｐの背面側の腰部に巻き付け、そして、伸縮帯１３の表面側に設けられた一対の第１面ファスナ１４ａ，１４ｂのうち少なくとも最も先端側の１つ、つまり、伸縮帯１３の最も先端側の他端部に第１面ファスナ１４ａを、前掛本体１１の他方の側辺部側の裏面側に設けられた第２面ファスナ１５に係合させることにより、着用者Ｐに装着されるように構成されている。
【００１６】
このとき、腰部周りの小さい着用者Ｐの場合には、図３（ａ）に示すように、第２面ファスナ１５に一対の第１面ファスナ１４ａ，１４ｂの両方を係合させ、また、腰部周りの大きい着用者Ｐの場合には、図３（ｂ）に示すように、第２面ファスナ１５に伸縮帯１３の最も先端側の他端部に設けられた第１面ファスナ１４ａのみを係合させることができ、しかも、いずれの場合も、第２面ファスナ１５が帯状であって、その長さ方向で第１面ファスナ１４ａ，１４ｂの係合位置の調節を行うことができ、これにより多様な体型に対応することができる。
【００１７】
また、伸縮帯１３に一対の第１面ファスナ１４ａ，１４ｂが間隔をおいて設けられているので、図３（ｂ）に示すように第２面ファスナ１５に伸縮帯１３の最も先端側の他端部に設けられた第１面ファスナ１４ａのみを係合させる場合、第２面ファスナ１５に係合する伸縮帯１３の最も先端側の他端部に設けられた第１面ファスナ１４ａと他端部以外の部分に設けられた第２面ファスナ１５に係合しないそれ以外の他の第１面ファスナ１４ｂとの間の伸縮帯１３の部分を伸び代として伸縮性を有効活用することができる。この場合、伸縮帯１３の最も先端側の他端部に設けられた第１面ファスナ１４ａを確実に第２面ファスナ１５に係合させると共に、他端部以外の部分に設けられた第２面ファスナ１５に係合しないそれ以外の他の第１面ファスナ１４ｂによる伸縮帯１３の伸縮性の喪失を小さく抑え、それによって伸縮帯１３の伸縮性を有効活用する観点からは、伸縮帯１３の最も先端側の他端部に設けられた第１面ファスナ１４ａよりも、他端部以外の部分に設けられたそれ以外の他の第１面ファスナ１４ｂの方が、伸縮帯１３の長さ方向の寸法が短いことが好ましい。
【００１８】
さらに、前掛本体１１の胸部対応部分１１ａには縦添ロッド１６が配設されているので、実施形態１に係る前掛け１０が、前掛本体１１が首から提げられずに、第１及び第２面ファスナ１４ａ，１４ｂ，１５の係合のみにより着用者Ｐに装着されても、胸部対応部分１１ａが縦添ロッド１６によって支持され、そのため胸部対応部分１１ａが自重で撓んで前垂れ状態になるのを規制することができる。なお、実施形態１に係る前掛け１０は、第１及び第２面ファスナ１４ａ，１４ｂ，１５の係合に加え、鳩目１８間に首提げ紐を渡し、それを首に掛けて着用者Ｐに装着することも可能ではあるが、着用者Ｐの作業性を高めると共に肩凝りを防止する観点から、第１及び第２面ファスナ１４ａ，１４ｂ，１５の係合のみにより着用者Ｐに装着されることが好ましい。また、この場合、図４に示すように、使用状況に応じて前掛本体１１の胸部対応部分１１ａを表面側に折り返せば、着用者Ｐの上半身の自由度が高まり、作業性をより高めることができる。
【００１９】
（実施形態２）
図５（ａ）及び（ｂ）は実施形態２に係る前掛け１０を示す。なお、実施形態１と同一名称の部分は実施形態１と同一符号で示す。
【００２０】
実施形態２に係る前掛け１０では、一対の縦添ロッド１６のそれぞれは、縦方向に直列に並ぶように配設された一対の短尺のロッド材１６ａで構成されている。ロッド材１６ａは、例えば、弾性を有するポリエチレン樹脂等の樹脂ロッドで構成されており、長さが８０〜１２０ｍｍ、及び幅が５〜１５ｍｍである。一対の縦添ロッド１６のそれぞれは、前掛本体１１の裏面側に縦方向に直列に並ぶように一対のロッド材１６ａが設けられ、その上から前掛本体１１と同じ材質の短冊状シート１７が被せられると共にその外周部及びロッド材１６ａ間がウェルダ加工により溶接され、それによって前掛本体１１と短冊状シート１７との間に封入されて設けられている。なお、縦添ロッド１６は３本以上のロッド材１６ａで構成されていてもよい。
【００２１】
実施形態１に係る前掛け１０では、上記の通り、前掛本体１１の胸部対応部分１１ａを表面側に折り返して使用することも可能であるが、例えば、その状態で屈んで作業する場合には、図６（ａ）に示すように、胸部対応部分１１ａに設けられた単一の長尺のロッド材で構成された縦添ロッド１６が支えるため、必ずしも作業性は良好とならない。しかしながら、実施形態２に係る前掛け１０によれば、縦添ロッド１６が一対の短尺のロッド材１６ａで構成されているので、屈んで作業する場合でも、図６（ｂ）に示すように、縦添ロッド１６が、それを構成する一対のロッド材１６ａの間で折れ、そのため縦添ロッド１６の支えが生じず、良好な作業性を得ることができる。
【００２２】
また、実施形態２に係る前掛け１０によれば、上側のロッド材１６ａと下側のロッド材１６ａとの間の部分で折り返して使用することも可能であり、多様な態様で使用することができる。
【００２３】
その他の構成、作用効果は実施形態１と同一である。
【００２４】
（その他の実施形態）
実施形態１及び２では、伸縮帯１３に第１面ファスナ１４ａ，１４ｂ及び前掛本体１１に第２面ファスナ１５がそれぞれ設けられた構成としたが、特にこれに限定されるものではなく、図７（ａ）及び（ｂ）に示すように、前掛本体１１の他方の側辺部の腰部対応位置に、非伸縮性の非伸縮帯１９の一端部が縫い合わせられて取り付けられていると共に、非伸縮帯１９は前掛本体１１から側方に延びるように設けられ、その非伸縮帯１９の裏面側に、長さ方向に沿うように帯状の第２面ファスナ１５が設けられて縫い合わせられて取り付けられた構成であってもよい。この前掛け１０の場合、前掛本体１１を、着用者Ｐの正面側の胸部乃至脚部を覆うように位置付けると共に、伸縮帯及び非伸縮帯１９を、着用者Ｐの背面側の腰部に巻き付け、そして、伸縮帯の表面側に設けられた一対の第１面ファスナ１４ａ，１４ｂの少なくとも１つを、非伸縮帯１９の裏面側に設けられた第２面ファスナ１５に係合させることにより、着用者Ｐに装着されるように構成されている。なお、伸縮帯の裏面側に第１面ファスナ１４ａ，１４ｂ及び非伸縮帯１９の表面側に第２面ファスナ１５がそれぞれ設けられた構成であってもよい。
【産業上の利用可能性】
【００２５】
本発明は前掛けについて有用である。
【符号の説明】
【００２６】
Ｐ  着用者
１０  前掛け
１１  前掛本体
１１ａ  胸部対応部分
１３  伸縮帯
１４ａ，１４ｂ  第１面ファスナ
１５  第２面ファスナ
１６  縦添ロッド
１６ａ  ロッド材
【図１】
2014101622.tif 000003
【図２】
2014101622.tif 000004
【図３】
2014101622.tif 000005
【図４】
2014101622.tif 000006
【図５】
2014101622.tif 000007
【図６】
2014101622.tif 000008
【図７】
2014101622.tif 000009